(57)【要約】【課題】異なるアドレスで管理される複数の通信機能で他の機器と通信可能である場合に、該他の機器の同一性を確認することができる通信装置および通信方法を提供することができる通信装置および通信方法を提供する。【解決手段】通信制御手段４００は、映像通信制御手段４１０による映像通信機能を用いて相手機器の通信アドレスを取得して当該相手機器のネットワーク通信インタフェースを特定するとともに、ネットワーク通信制御手段４２０によるネットワーク通信機能を用いて相手機器の物理アドレスを取得して当該相手機器の映像通信インタフェースを特定し、相手機器側の物理アドレスおよび通信アドレスとの組の確認制御を行う。これにより、異なるアドレスで管理される複数の通信機能で他の機器と通信可能である場合に、該他の機器の同一性を確認することができる。【選択図】        図４
2010130543.tif 000002
【特許請求の範囲】
【請求項１】
映像送信側となるソース機器と映像受信側となるシンク機器との間で映像信号および制御信号を送受信する映像通信機能と、ネットワーク通信に基づくパケット信号を送受信するネットワーク通信機能とを有する通信装置であって、
前記映像信号及び前記制御信号の送受信にかかる特定情報である物理アドレスを用いて前記映像通信機能を制御する映像通信制御手段と、
前記ネットワーク通信にかかる特定情報である通信アドレスを用いて前記ネットワーク通信機能を制御するネットワーク通信制御手段と、
前記映像通信機能を用いて相手機器の前記通信アドレスを取得して当該相手機器のネットワーク通信インタフェースを特定するとともに、前記ネットワーク通信機能を用いて相手機器の前記物理アドレスを取得して当該相手機器の映像通信インタフェースを特定し、前記相手機器側の前記物理アドレスおよび前記通信アドレスとの組の確認制御を行う通信制御手段と、
を備えることを特徴とする通信装置。
【請求項２】
前記通信制御手段は、前記物理アドレスおよび前記通信アドレスとの組が確認された前記相手機器に対する処理を他の機器に比べて優先制御する、
ことを特徴とする請求項１記載の通信装置。
【請求項３】
前記通信制御手段は、前記ネットワーク通信機能によって通信されるべき前記パケット信号の元となる映像信号を、前記映像通信制御手段に渡して前記映像通信機能による通信に切り替える、
ことを特徴とする請求項１記載の通信装置。
【請求項４】
前記通信制御手段は、前記映像通信機能によって通信されるべき映像信号を元に作成したパケット信号を、前記ネットワーク通信制御手段に渡して前記ネットワーク通信機能による通信に切り替える、
ことを特徴とする請求項１記載の通信装置。
【請求項５】
映像送信側となるソース機器と映像受信側となるシンク機器との間で映像信号および制御信号を送受信する映像通信機能と、ネットワーク通信に基づくパケット信号を送受信するネットワーク通信機能とを有する通信装置で実行される通信方法であって、
前記映像信号及び前記制御信号の送受信にかかる特定情報である物理アドレスを用いて前記映像通信機能を制御するステップと、
前記ネットワーク通信にかかる特定情報である通信アドレスを用いて前記ネットワーク通信機能を制御するステップと、
前記映像通信機能を用いて相手機器の前記通信アドレスを取得して当該相手機器のネットワーク通信インタフェースを特定するとともに、前記ネットワーク通信機能を用いて相手機器の前記物理アドレスを取得して当該相手機器の映像通信インタフェースを特定し、前記相手機器側の前記物理アドレスおよび前記通信アドレスとの組の確認制御を行うステップと、
を含むことを特徴とする通信方法。
【発明の詳細な説明】
【技術分野】
【０００１】
本発明は、通信装置および通信方法に関する。
【背景技術】
【０００２】
ＤＶＤ（Digital  Versatile  Disk）プレーヤ、セットトップボックス等の映像送信装置とＴＶ受像機・モニタ等の映像受信装置との間のマルチメディアインタフェースの一例としてＨＤＭＩ（High  Definition  Multimedia  Interface）規格がある。ＨＤＭＩ出力端子を有する機器をソース機器と称し、ＨＤＭＩ入力端子を有する機器をシンク機器と称する。映像送信装置はソース機器であり、映像受信装置はシンク機器である。また、ＨＤＭＩ入力端子とＨＤＭＩ出力端子とを有し、ソース機器とシンク機器の両者の機能を有する機器をリピータ機器と称する。
【０００３】
上記したＨＤＭＩ規格に準じた通信を行うＨＤＭＩ通信装置では、映像、音声、補助情報を伝送するＴＭＤＳ（Transition  Minimized  Differential  Signaling）伝送部と、ソース機器をシンク機器あるいはリピータ機器に接続した場合、ソースレディ信号として接続したことをシンク機器あるいはリピータ機器に知らせるための＋５Ｖ電源信号伝送部と、シンク機器あるいはリピータ機器において映像情報の受信準備が整ったことを示すシンクレディ信号としてのＨＰＤ（Hot  Plug  Detect）信号を伝送するＨＰＤ信号伝送部と、接続されたシンク機器の製品情報や適合する映像フォーマット等のデータであるＥＤＩＤ（Extended  Display  Identification  Data）を伝送するＥＤＩＤ伝送部と、シンク機器の認証を行うＨＤＣＰ（High-bandwidth  Digital  Content  Protection）認証部と、装置制御信号と制御プロトコルであるＣＥＣ（Consumer  Electronics  Control）を伝送するＣＥＣ伝送部とを有している。
【０００４】
このようなＨＤＭＩ規格に準拠したデータの送受信方法において、ソース機器からシンク機器へのデータ送信だけでなく、シンク機器からソース機器へのデータ送信を行うことで双方向高速通信が可能となるようにした通信システムが提案されている（例えば、特許文献１参照）。
【０００５】
特許文献１に記載された通信システムは、ＴＭＤＳデータチャンネルの少なくとも１つに受信装置から送信装置への通信部を設け、送信装置から受信装置へのデータ送信を行わない未使用区間において、受信装置から送信装置へ時分割送信によるデータ送信を行っている。
【０００６】
この特許文献１に記載された通信システムによると、送信装置から受信装置への送信タイミングと受信装置から送信装置への送信タイミングを制御することによって、ＨＤＭＩ規格に準拠したデータ送受信における互換性を保ちつつ、高速の双方向通信を行うことができるとしている。
【０００７】
近年、通信ネットワークの高速化が進み、大容量の映像信号等の伝送に対する需要が高まっていることから、既存のＨＤＭＩケーブル接続形態とＨＤＭＩデータ伝送方式とを継承しながら、従来のＨＤＭＩ通信装置に新たな通信幾能を追加した新規のＨＤＭＩ通信装置を他の新規のＨＤＭＩ通信装置、又は従来のＨＤＭＩ通信装置とＨＤＭＩケーブルで接続することが考えられる（例えば、非特許文献１参照）。
【０００８】
【特許文献１】特開２００７−３１１８８４号公報
【非特許文献１】Higl1-Definition  Multimedia  Interface  Specification  Version  １．３ａ
【発明の開示】
【発明が解決しようとする課題】
【０００９】
しかしながら、ＨＤＭＩに別の通信機能を追加するようにした場合には、ＨＤＭＩ上で当該別の通信機能を利用できるが、これらは別のアドレス（機器を特定するための情報）により管理されている場合がある。このような場合には、別の通信方式を利用する機器からＨＤＭＩ機器を特定したり、または、ＨＤＭＩ機器から当該別の通信方式を利用した機器を特定したりする事が難しい。これにより、相手機器がＨＤＭＩと別の通信機能とを備えている場合であっても、異なるアドレスを利用していることから同一機器か否かを判別することができず、統一的な制御を行うことができない可能性がある。
【００１０】
本発明は、上記に鑑みてなされたものであって、異なるアドレスで管理される複数の通信機能で他の機器と通信可能である場合に、該他の機器の同一性を確認することができる通信装置および通信方法を提供することを目的とする。
【課題を解決するための手段】
【００１１】
上述した課題を解決し、目的を達成するために、本発明の通信装置は、映像送信側となるソース機器と映像受信側となるシンク機器との間で映像信号および制御信号を送受信する映像通信機能と、ネットワーク通信に基づくパケット信号を送受信するネットワーク通信機能とを有する通信装置であって、前記映像信号及び前記制御信号の送受信にかかる特定情報である物理アドレスを用いて前記映像通信機能を制御する映像通信制御手段と、前記ネットワーク通信にかかる特定情報である通信アドレスを用いて前記ネットワーク通信機能を制御するネットワーク通信制御手段と、前記映像通信機能を用いて相手機器の前記通信アドレスを取得して当該相手機器のネットワーク通信インタフェースを特定するとともに、前記ネットワーク通信機能を用いて相手機器の前記物理アドレスを取得して当該相手機器の映像通信インタフェースを特定し、前記相手機器側の前記物理アドレスおよび前記通信アドレスとの組の確認制御を行う通信制御手段と、を備える。
【００１２】
また、本発明の通信方法は、映像送信側となるソース機器と映像受信側となるシンク機器との間で映像信号および制御信号を送受信する映像通信機能と、ネットワーク通信に基づくパケット信号を送受信するネットワーク通信機能とを有する通信装置で実行される通信方法であって、前記映像信号及び前記制御信号の送受信にかかる特定情報である物理アドレスを用いて前記映像通信機能を制御するステップと、前記ネットワーク通信にかかる特定情報である通信アドレスを用いて前記ネットワーク通信機能を制御するステップと、前記映像通信機能を用いて相手機器の前記通信アドレスを取得して当該相手機器のネットワーク通信インタフェースを特定するとともに、前記ネットワーク通信機能を用いて相手機器の前記物理アドレスを取得して当該相手機器の映像通信インタフェースを特定し、前記相手機器側の前記物理アドレスおよび前記通信アドレスとの組の確認制御を行うステップと、を含む。
【発明の効果】
【００１３】
本発明によれば、異なるアドレスで管理される複数の通信機能で他の機器と通信可能である場合に、該他の機器の同一性を確認することができる通信装置および通信方法を提供することができる、という効果を奏する。
【発明を実施するための最良の形態】
【００１４】
以下に添付図面を参照して、この発明にかかる通信装置および通信方法の最良な実施の形態を詳細に説明する。
【００１５】
本発明の実施の一形態を図１ないし図８に基づいて説明する。図１は、本発明の実施の一形態に係るデータ伝送システム１の一例を示す全体図である。図１に示すように、データ伝送システム１は、２つの通信装置をＨＤＭＩケーブルで接続したものであり、本実施の形態においてシンク機器となる映像受信装置（ＤＴＶ：Digital  Television）１０と、ソース機器となるＤＶＤレコーダ２０と、映像受信装置１０とＤＶＤレコーダ２０とを接続し、映像信号と音声信号とを１本のケーブルで伝送可能なＨＤＭＩケーブル３から構成されている。
【００１６】
映像受信装置１０は、正面部にリモートコントローラの遠隔操作信号を受信する操作入力部１０Ｂと、音声を出力するスピーカー１４Ａ，１４Ｂを有し、アンテナに接続されたアンテナ線２と、ＩＰ（Internet  Protocol）通信網に接続されたＥｔｈｅｒｎｅｔ（登録商標）ケーブルであるネットワークケーブル４が接続されている。
【００１７】
この映像受信装置１０は、ＤＶＤレコーダ２０で再生されたＤＶＤの映像及び音声等に基づくデータをＨＤＭＩケーブル３を介して伝送されることにより再生する。また、映像受信装置１０は、アンテナ線２に接続されたアンテナで受信したテレビジョン放送信号に基づく映像出力及び音声出力を行う。さらに、ネットワークケーブル４を介して受信したＩＰＴＶ（Internet  Protocol  Television）に基づく映像出力及び音声出力を行う。
【００１８】
ＨＤＭＩケーブル３は、映像受信装置１０とＤＶＤレコーダ２０との間で双方向通信を行う。
【００１９】
図２は、データ伝送システム１の構成を概略的に示すブロック図である。図２に示すように、映像受信装置１０は、テレビジョン放送信号を受信するテレビ機能部１１０と、ＨＤＭＩ規格に準拠したデジタル映像信号を受信する通信装置であるＨＤＭＩ通信部１００と、ネットワークケーブル４を介して伝送されるＩＰＴＶを受信するＬＡＮ（Local  Area  Network）通信部１３０と、テレビ機能部１１０、ＨＤＭＩ通信部１００及びＬＡＮ通信部１３０の出力を選択するセレクタ１２と、セレクタ１２から出力される映像信号に基づいて表示部１１に映像を表示させる表示駆動部１３と、セレクタ１２から出力される音声信号に基づいてスピーカー１４Ａ，１４Ｂに音声を出力させる音声駆動部１５と、映像受信装置１０の各部を統括的に制御する制御部１８とを有している。
【００２０】
テレビ機能部１１０は、ＴＶ（Television）入力端子１１１にアンテナ線２を介して接続されるアンテナ１１２によってテレビジョン放送信号を受信し、所定のチャンネルの信号を抽出するチューナ部１１３と、チューナ部１１３から出力される受信信号を入力して映像信号Ｖ１及び音声信号Ａ１に復元する信号処理部１１４とを有する。
【００２１】
ＨＤＭＩ通信部１００は、コネクタ１２１にＨＤＭＩケーブル３を介して接続されるＤＶＤレコーダ２０のＨＤＭＩ通信部２００から受信したＨＤＭＩ規格のデジタル映像信号を映像成分と音声成分とに分離し、映像信号Ｖ２と，音声信号Ａ２として出力する。また、ＨＤＭＩ通信部１００は、ＨＤＭＩ通信部２００との間でＤＤＣ線３０を介して通信可能な通信部１５３を含む制御部であるマイクロコンピュータ１５２と、映像受信装置１０の表示能力をコード化した記憶内容等を読み書き可能に格納し、ＨＤＭＩケーブル３のＤＤＣ線３０に接続されるＥＤＩＤメモリ１５４とを有する。
【００２２】
ＬＡＮ通信部１３０は、ＬＡＮ端子１３１に接続されるネットワークケーブル４を介してＩＰＴＶ放送信号を受信し、受信信号から図示しないデコーダで復号された映像信号Ｖ３及び音声信号Ａ３を出力する。
【００２３】
セレクタ１２は、テレビ機能部１１０から出力された映像信号Ｖ１及び音声信号Ａ１とＨＤＭＩ通信部１００から出力された映像信号Ｖ２及び音声信号Ａ２と、ＬＡＮ通信部１３０から出力された映像信号Ｖ３及び音声信号Ａ３とを選択的に切り換えて表示駆動部１３及び音声駆動部１５に出力する機能を有する。
【００２４】
ＤＶＤレコーダ２０は、コネクタ２０１に接続されるＨＤＭＩケーブル３を介して映像受信装置１０のＨＤＭＩ通信部１００と接続される通信装置であるＨＤＭＩ通信部２００と、ＤＶＤ等の記録媒体２０２に対する記録及び再生を行う記録再生部２０３と、記録再生部２０３から供給されるエンコードデータを、ベースバンドの映像信号と音声信号にＭＰＥＧデコードし、そのベースバンドの映像信号と音声信号を、ＨＤＭＩ通信部２００に供給するコーデック２０４とを有する。記録再生部２０３は、コーデック２０４から出力されるエンコードデータや、ＨＤＭＩ通信部２００から出力されるエンコードデータを記録することができる。
【００２５】
ＨＤＭＩ通信部２００は、ＨＤＭＩ通信部１００との間でＤＤＣ線３０を介して通信可能な通信部２５３を含む制御部であるマイクロコンピュータ２５２を有している。
【００２６】
図３は、データ伝送路を部分的に示すブロック図である。本実施の形態では、シンク機器に、通信線（ＨＤＭＩケーブル３）を介して映像信号を受信する高速デジタル伝送路と、高速デジタル伝送についての情報を記憶する記憶部（ＥＤＩＤメモリ１５４）と、記億部（ＥＤＩＤメモリ１５４）に接続するために通信線に含まれるＩＩＣバス（ＤＤＣ線３０）を介して記憶部（ＥＤＩＤメモリ１５４）及び他の通信装置と通信する情報伝送路とを具備している。
【００２７】
本実施の形態において、ソース機器とシンク機器とを接続するデータ伝送路は、ソース側のＨＤＭＩ通信部２００、ＨＤＭＩケーブル３、及びシンク側のＨＤＭＩ通信部１００とで構成されている。
【００２８】
ＨＤＭＩケーブル３は、一方の端部に設けられて複数の信号端子３１０ａを有してＤＶＤレコーダ２０の複数の信号端子２０１ａを有したコネクタ２０１に接続されるコネクタ３１０と、コネクタ３１０が設けられる側と反対側の他方の端部に設けられて複数の信号端子３１１ａを有して映像受信装置１０の複数の信号端子１２１ａを有したコネクタ１２１に接続されるコネクタ３１１とを有し、映像成分及び音声成分を含む映像信号を３つのＴＭＤＳチャンネル（Ｃｈ０，Ｃｈ１，Ｃｈ２）でソース機器からシンク機器に伝送する差動信号線を構成する信号線３Ａ〜３Ｆ、及び３つのＴＭＤＳチャンネルで伝送する画素データに同期したピクセルクロックをＣＫチャンネルで伝送する信号線３Ｇ及び３Ｈからなる高速デジタル伝送路と、ＨＤＭＩケーブル３の接続状熊を示すＰＷ＋５Ｖ線３Ｉ、ＨＰＤ線３Ｊ、ＲＳＶ線３Ｋ、機器の状態を制御するＣＥＣ線３Ｌ、ＥＤＩＤ情報の伝送、等を伝送する一対の線３Ｍ，３Ｎで構成されたＤＤＣ線３０からなる情報伝送路とで構成されている。
【００２９】
ＨＰＤ線３Ｊ及びＲＳＶ線３Ｋは、例えば、ツイストペア線からなる通信線３００を構成しており、ソース機器とシンク機器との間でＩＥＥＥ（Institute  of  Electrical  and  Electronics  Engineers）８０２．３に準拠したフレームに基づくＥｔｈｅｒｎｅｔ（登録商標）通信に基づくネットワーク信号を伝送する双方向のデジタル伝送路として機能する。なお、通信線３００を用いたデータ伝送については、上記したＩＥＥＥ８０２．３に準拠したフレーム伝送方式以外の他の伝送方式で行うこともできる。
【００３０】
高速デジタル伝送路は、ＤＶＤレコーダ２０のエンコーダ２５０からＴＭＤＳチャンネルに応じて設けられる信号線２５１、ＨＤＭＩケーブル３の各信号線３Ａ〜３Ｈ、信号線１５１を介して映像受信装置１０のデコーダ１５０に映像信号及びその制御クロックを伝送する。
【００３１】
情報伝送路は、映像受信装置１０の通信部１５３及びＤＶＤレコーダ２０の通信部２５３からＥＤＩＤメモリ１５４の記憶領域への接続機能、通信部１５３又は通信部２５３によるＥＤＩＤメモリ１５４の記憶領域に対する書き込み及び読み出し機能、及び通信部１５３，通信部２５３が送信するコマンドの双方向通信等で使用される。
【００３２】
ＨＤＭＩ通信部２００は、ＴＭＤＳチャンネルで送信する映像信号をエンコードするエンコーダ２５０と、エンコーダ２５０とコネクタ２０１の各々の端子間を接続する複数の線を有する信号線２５１と、ＰＷ＋５Ｖ線３Ｉ，ＨＰＤ線３Ｊ，ＲＳＶ線３Ｋ，ＣＥＣ線３Ｌ、及びＤＤＣ線３０と接続されるマイクロコンピュータ２５２と、マイクロコンピュータ２５２によって制御されるとともに、信号線２５８及び信号線２５９を介してＤＤＣ線３０と接続される通信部２５３とを有する。
【００３３】
マイクロコンピュータ２５２は、ソース機器の映像受信装置１０との通信を実行するのに必要な信号処理回路を備え、信号線２５６を介してＨＰＤ線３Ｊと接続され、信号線２６０を介してＲＳＶ線３Ｋと接続されるとともに、信号線２５７を介してＣＥＣ線３Ｌと接続されている。
【００３４】
ＨＤＭＩ通信部１００には、ＴＭＤＳチャンネルで受信した映像信号をデコードするデコーダ１５０と、デコーダ１５０とコネクタ１２１の各々の端子間を接続する複数の線を有する信号線１５１と、ＰＷ＋５Ｖ線３Ｉ，ＨＰＤ線３Ｊ，ＲＳＶ線３Ｋ，ＣＥＣ線３Ｌ、及びＤＤＣ線３０と接続されるマイクロコンピュータ１５２と、マイクロコンピュータ１５２によって制御されるとともに信号線１６０及び信号線１６１によってＤＤＣ線３０に接続される通信部１５３と、信号線１５８及び信号線１５９を介してＤＤＣ線３０に接続されるＥＤＩＤメモリ１５４と、を有する。なお、通信部１５３は、信号線１６０及び信号線１６１、信号線１５８及び信号線１５９を介してＥＤＩＤメモリ１５４に接続可能に構成されている。
【００３５】
マイクロコンピュータ１５２は、シンク機器のＤＶＤレコーダ２０との通信を実行するのに必要な信号処理回路を備え、信号線１５５を介してＰＷ＋５Ｖ線３Ｉと接続され、信号線１５６を介してＨＰＤ線３Ｊと接続され、信号線１６２を介してＲＳＶ線３Ｋと接続されるとともに、信号線１５７を介してＣＥＣ線３Ｌと接続されている。
【００３６】
次に、シンク機器のＨＤＭＩ通信部１００に設けられるマイクロコンピュータ１５２およびソース機器のＨＤＭＩ通信部２００に設けられるマイクロコンピュータ２５２により実行される機能のうち、特徴的な機能について図４の機能ブロック図を参照しつつ説明する。
【００３７】
シンク機器のＨＤＭＩ通信部１００に設けられるマイクロコンピュータ１５２およびソース機器のＨＤＭＩ通信部２００に設けられるマイクロコンピュータ２５２は、図４に示すように、通信制御手段である通信制御部４００と、映像通信制御手段であるＨＤＭＩ制御部４１０と、ネットワーク通信制御手段であるネットワーク制御部４２０とを備えている。
【００３８】
図４に示すように、ＨＤＭＩ制御部４１０は従来のＨＤＭＩ通信、より具体的には、映像信号やＣＥＣ線３Ｌを用いて通信される制御信号等の通信にかかる特定情報であるＥＤＩＤの物理アドレス４１１を用いて通信する。該ＥＤＩＤの物理アドレス４１１は、ＥＤＩＤメモリ１５４に記憶されるアドレスであり、１つのＨＤＭＩポートに対して１つ付与される。
【００３９】
ＨＤＭＩ制御部４１０は、ネットワーク制御部４２０とは異なり、圧縮符号化せずに映像信号を通信する。
【００４０】
ネットワーク制御部４２０は、ネットワーク通信にかかる特定情報である通信アドレスであるＭＡＣアドレス４２１を用いて通信線３００を介して通信する。ＭＡＣ（Media  Access  Control）アドレス４２１は、各ネットワーク通信機能を有する各通信デバイスに対して１つ付与されるアドレスであり、ＥＤＩＤの物理アドレス４１１とは異なるアドレスである。
【００４１】
ネットワーク制御部４２０は、例えば、映像信号をＭＰＥＧ−２やＨ．２６４／ＡＶＣ等の符号化方式により圧縮符号化してパケット化したパケット信号を通信することができる。
【００４２】
すなわち、シンク機器およびソース機器は、ＥＤＩＤの物理アドレス４１１とＭＡＣアドレス４２１との２つのアドレスを有している。映像信号及び制御信号にかかるＨＤＭＩ通信と、ＩＰパケットを用いて通信するネットワークであるＥｔｈｅｒｎｅｔ（登録商標）の両方で統一的な制御を行おうとすると、両方のアドレスを対応付けて管理する必要がある。
【００４３】
通信制御部４００は、ＨＤＭＩ制御部４１０とネットワーク制御部４２０とを制御するものである。より詳細には、通信制御部４００は、シンク機器（ソース機器）がＨＤＭＩ機能を使って、ＭＡＣアドレスを利用して相手機器のネットワークインタフェース（例えば、Ｅｔｈｅｒｎｅｔ（登録商標）インタフェース）を特定し、シンク機器（ソース機器）がネットワーク機能を使って、相手機器のＥＤＩＤの物理アドレスを利用して相手機器のＨＤＭＩインタフェースを特定し、相手機器側の物理アドレスおよびＭＡＣアドレスとの組の確認制御を行う。具体的には、下記に示すような制御を行う。
【００４４】
ここで、図５はＨＤＭＩを用いたネットワーク上のＭＡＣアドレス取得例を示すシーケンスチャートである。図５に示すように、シンク機器（またはソース機器）のＨＤＭＩ制御部４１０上から相手機器に対しＥＤＩＤの物理アドレスを指定してＭＡＣアドレス取得要求を行うと、ＨＤＭＩケーブル３を介して要求を受けた相手機器であるソース機器（またはシンク機器）のＨＤＭＩ制御部４１０はネットワーク制御部４２０にアクセスできる通信制御部４００にＭＡＣアドレスの取得要求を行う。通信制御部４００は、ネットワーク制御部４２０からＭＡＣアドレス４２１を取得すると、ＭＡＣアドレス取得要求を受けたシンク機器（またはソース機器）にＭＡＣアドレス４２１を返す。これにより、通信制御部４００は、シンク機器（ソース機器）がＨＤＭＩ機能を使って、ＭＡＣアドレスを利用して相手機器のネットワークインタフェースを特定し、相手機器側の物理アドレスおよびＭＡＣアドレスとの組の確認制御を行うことができる。なお、当該ＭＡＣアドレスの取得は、例えばＣＥＣ線３Ｌを用いて通信される制御信号により行うことができる。
【００４５】
一方、図６はネットワークを用いたＨＤＭＩのＥＤＩＤの物理アドレス取得例を示すシーケンスチャートである。図６に示すように、シンク機器（またはソース機器）のネットワーク制御部４２０上から相手機器に対しＭＡＣアドレスを指定してＥＤＩＤの物理アドレス取得要求を行うと、ＨＤＭＩケーブル３を介して要求を受けた相手機器であるソース機器（またはシンク機器）のネットワーク制御部４２０はＨＤＭＩ制御部４１０にアクセスできる通信制御部４００にＥＤＩＤの物理アドレス取得要求を行う。通信制御部４００は、ＨＤＭＩ制御部４１０からＥＤＩＤの物理アドレス４１１を取得すると、ＥＤＩＤの物理アドレス取得要求を受けたシンク機器（またはソース機器）にＥＤＩＤの物理アドレス４１１を返す。これにより、通信制御部４００は、シンク機器（ソース機器）がネットワーク機能を使って、相手機器のＥＤＩＤの物理アドレスを利用して相手機器のＨＤＭＩインタフェースを特定し、相手機器側の物理アドレスおよびＭＡＣアドレスとの組の確認制御を行うことができる。
【００４６】
上述した機能を利用する事例について説明する。
【００４７】
まず、ＤＬＮＡ（Digital  Living  Network  Alliance）技術を用い、シンク機器がネットワークを介してソース機器のコンテンツ情報（図７参照）を取得する例について説明する。従来は、シンク機器側でコーデックＡＶＣを再生できない場合、ネットワーク（例えば、Ｅｔｈｅｒｎｅｔ（登録商標））上からタイトルを取得して再生できないという問題があった。そこで、上述したような機能を利用することにより、通信制御部４００がコーデックＡＶＣをＨＤＭＩ制御部４１０に渡し、ＨＤＭＩ制御部４１０でデコードを行ってからＨＤＭＩケーブル３経由でシンク機器側に再生した映像を表示することができる。これは、ネットワーク（例えば、Ｅｔｈｅｒｎｅｔ（登録商標））上でＨＤＭＩの特定情報であるＥＤＩＤの物理アドレス、ＨＤＭＩ上でネットワーク（例えば、Ｅｔｈｅｒｎｅｔ（登録商標））上の特定情報であるＭＡＣアドレスを取得する事で、相互機器が正しく繋がっている事を確認することができるからである。なお、本事例は、コーデック未対応の場合だが、ソース機器側でＤＬＮＡで配信しないタイトルに対しても利用できる。
【００４８】
次に、図１に示したようなシンク機器となるＤＴＶ（Digital  Television）１０とソース機器となるＤＶＤレコーダ２０との間はＨＤＭＩケーブル３を介して接続された状態に加えて、図８に示すようにＤＴＶ（Digital  Television）１０とソース機器となるＤＶＤレコーダ２０とシンク機器となるテレビ５００とソース機器となるＮＡＳ（Network  Attached  Storage）６００とが無線ネットワークで接続されているような構成において、ＨＤＭＩ−ＣＥＣ（Consumer  Electronics  Control）による機器間認証を用いてＤＴＶ１０上からＤＬＮＡ機能を用いてソース機器であるＤＶＤレコーダ２０にあるタイトルを選択する操作について説明する。
【００４９】
従来は、ＤＶＤレコーダ２０とネットワーク（例えば、Ｅｔｈｅｒｎｅｔ（登録商標））で接続された複数の表示機器から、ユーザが機器を選択しなければならなかった。しかしながら、上述したような機能を利用することにより、ＤＶＤレコーダ２０とネットワーク（例えば、Ｅｔｈｅｒｎｅｔ（登録商標））で接続された複数の表示機器中から、ＨＤＭＩにも接続中のシンク機器か否かを確認し、物理アドレスおよびＭＡＣアドレスとの組が確認された相手機器に対する処理を他の機器に比べて優先制御することで、ＨＤＭＩ機器であるＤＴＶ１０を優先して映像を表示でき、ユーザの選択操作を簡略化できる。より詳細には、ソース機器であるＤＶＤレコーダ２０のＨＤＭＩ制御部４１０上から相手機器に対しＥＤＩＤの物理アドレスを指定してＭＡＣアドレス取得要求を行うと、ＨＤＭＩケーブル３を介して要求を受けた相手機器であるシンク機器であるＤＴＶ１０のＨＤＭＩ制御部４１０はネットワーク制御部４２０にアクセスできる通信制御部４００にＭＡＣアドレスの取得要求を行う。ＤＴＶ１０の通信制御部４００は、ネットワーク制御部４２０からＭＡＣアドレス４２１を取得すると、ＭＡＣアドレス取得要求を受けたソース機器であるＤＶＤレコーダ２０にＭＡＣアドレス４２１を返す。
【００５０】
このように本実施の形態によれば、映像通信機能を用いて相手機器の通信アドレスを取得して当該相手機器のネットワーク通信インタフェースを特定するとともに、ネットワーク通信機能を用いて相手機器の物理アドレスを取得して当該相手機器の映像通信インタフェースを特定し、相手機器側の物理アドレスおよび通信アドレスとの組の確認制御を行うことにより、異なるアドレスで管理される複数の通信機能で他の機器と通信可能である場合に、該他の機器の同一性を確認することができるので、例えばＨＤＭＩ／Ｅｔｈｅｒｎｅｔ（登録商標）機器の両方が相互に接続された機器構成において、相手機器側のＨＤＭＩ操作でＭＡＣアドレスを特定して操作でき、また、相手機器側のネットワーク（例えば、Ｅｔｈｅｒｎｅｔ（登録商標））上の操作でＨＤＭＩ機器のＥＤＩＤの物理アドレスを特定して操作できる、という効果を奏する。
【００５１】
なお、本実施の形態においては、ネットワーク制御部４２０はＭＡＣアドレス４２１を有しているものとしたが、これに限るものではなく、ＭＡＣアドレスの代わりに通信アドレスとしてＩＰアドレスを指定して機器を特定することも可能である。
【００５２】
なお、Ｅｔｈｅｒｎｅｔ（登録商標）／ＨＤＭＩの２インタフェースを利用していれば、特定値を取得可能である。この場合、Ｅｔｈｅｒｎｅｔ（登録商標）／ＨＤＭＩのインタフェースが関連付けられていないため、先にＥｔｈｅｒｎｅｔ（登録商標）からのＥＤＩＤ物理アドレス情報、ＨＤＭＩからのＭＡＣアドレス情報を取得しておき、相手機器とＥｔｈｅｒｎｅｔ（登録商標）／ＨＤＭＩ機器が両方とも繋がっているか、確認する必要がある。
【図面の簡単な説明】
【００５３】
【図１】本発明の実施の一形態に係るデータ伝送システムの一例を示す全体図である。
【図２】データ伝送システムの構成を概略的に示すブロック図である。
【図３】データ伝送路を部分的に示すブロック図である。
【図４】シンク機器およびソース機器の備える特徴的な機能を示すブロック図である。
【図５】ＨＤＭＩを用いたネットワーク上のＭＡＣアドレス取得例を示すシーケンスチャートである。
【図６】ネットワークを用いたＨＤＭＩのＥＤＩＤの物理アドレス取得例を示すシーケンスチャートである。
【図７】ソース機器のコンテンツ情報の一例を示す模式図である。
【図８】応用例を示す模式図である。
【符号の説明】
【００５４】
１０      シンク機器
２０      ソース機器
１００，２００      通信装置
１５２，２５２      制御部
４００      通信制御手段
４１０      映像通信制御手段
４１１      物理アドレス
４２０      ネットワーク通信制御手段
４２１      通信アドレス
【図１】
2010130543.tif 000003
【図２】
2010130543.tif 000004
【図３】
2010130543.tif 000005
【図４】
2010130543.tif 000006
【図５】
2010130543.tif 000007
【図６】
2010130543.tif 000008
【図７】
2010130543.tif 000009
【図８】
2010130543.tif 000010